(57)【要約】【課題】  最上段ではないレースバーからインレイ糸を挿入しても、インレイ糸が歯口外に押し出されて期待するインレイ状態が得られなくなる問題が発生しないで、柄表現の範囲を広げることができる編地の編成方法、およびデザイン装置を提供する。【解決手段】  インレイ糸２ｂをラッピング動作で挿入する前に、編針７Ａ，７Ｂ間の挿入区間の中間の編針７Ｃ，７Ｄ，７Ｅを歯口５に進出させておく。インレイ糸２ｂを中間の編針７Ｃ，７Ｄ，７Ｅで支持するので、レースバー全体を下方に揺動させるスイング動作を行っても、上位側のレースバーに装着される給糸管１から給糸される編糸１ａではインレイ糸２ｂが歯口５の外へ押し出されず、期待される状態でのインレイ編成が可能となる。【選択図】  図１
2007277738.tif 000002
【特許請求の範囲】
【請求項１】
一対の針床が歯口で対向し、一方の針床側のみには、経糸となり得る編糸を挿入可能なレースバーを複数段有する横編機で編地を編成する方法において、
最上段ではないレースバーから、編地には編込まれないで浮くインレイ区間となる部分を有するインレイ糸を挿入する場合に、レースバーのラッピング動作およびスイング動作に先行して、インレイ糸の挿入区間の中間で編針を歯口に進出させておき、
該インレイ区間では、該インレイ糸の挿入に先行して、編目を一方の針床側から他方の針床側に目移ししておき、該インレイ糸の挿入後に、目移しした編目を他方側から一方側に戻す、
ことを特徴とする編地の編成方法。
【請求項２】
前記歯口に進出させる前記インレイ糸の挿入区間の中間の編針は、前記インレイ区間で前記目移しを行った編針のうちから選択され、
該選択された編針に対して、前記インレイ糸をタックしながら、前記挿入を行い、挿入後にインレイ糸のタックを目外しすることを特徴とする請求項１記載の編地の編成方法。
【請求項３】
前記歯口に進出させる前記インレイ糸の挿入区間の中間の編針は、前記インレイ区間外の編針のうちから選択され、
該選択された編針に対して、前記インレイ糸をタックしながら、前記挿入を行うことを特徴とする請求項１記載の編地の編成方法。
【請求項４】
一対の針床が歯口で対向し、一方の針床側のみには、経糸となり得る編糸を挿入可能なレースバーを複数段有する横編機で、コース方向に複数の領域が連なり、各領域が隣接する領域とは異なる編糸で編成される編地を、少なくとも一つの領域では編地の表面から浮いて直線状のインレイ区間となる部分を有するインレイ糸挿入しながら編成するための編成データを生成するデザイン装置であって、
最上段ではないレースバーから、編地には編込まれないで浮くインレイ区間となる部分を有するインレイ糸を挿入する場合に、レースバーのラッピング動作およびスイング動作に先行して、インレイ糸の挿入区間の中間で編針を歯口に進出させておき、
該インレイ区間では、該インレイ糸の挿入に先行して、編目を一方の針床側から他方の針床側に目移ししておき、該インレイ糸の挿入後に、目移しした編目を他方側から一方側に戻す、
ための編成データを、横編機に実行させるように生成することを特徴とするデザイン装置。
【発明の詳細な説明】
【技術分野】
【０００１】
本発明は、経糸となり得る編糸を挿入可能なレースバーを複数段有する横編機で編成されてインレイ糸が挿入される編地の編成方法、およびデザイン装置に関する。
【背景技術】
【０００２】
従来から、緯糸となる編糸を給糸して緯編組織の編地を編成する横編機では、複数の給糸管を装着可能なレースバーと呼ばれる給糸部材を設けることで、経編に類似した組織も編成可能であることが知られている。レースバーは、たとえば４段設けられ、各段で独立して針床の長手方向に平行なラッピング動作が可能であるけれども、編針の側方で上下に揺動するスイング動作は、４段のレースバー全体で同時に行われる（たとえば、特許文献１参照。）。
【０００３】
さらに、ラッピング動作で、連続する複数の編針の区間に給糸し、この区間で編地を編成することもできる。このような区間をコース方向に連続して設け、境界部をタックなどで継ぐようにすると、インターシャ柄の編地も編成することができる（たとえば、特許文献２参照。）。レースバーを使用すると、複数の給糸口から同時に編糸を給糸することができ、同一の編成コースで多くの編糸を切換えて給糸するような編成を効率よく行うことができる。また、４段設けられるレースバーは、各段で独立のラッピング動作が可能であるので、一つの段でのラッピング動作のストロークを大きくし、他の段のレースバーのラッピング動作で形成する区間を連ねる範囲に編糸を給糸し、インレイ糸とするような編地の編成も考えられる。
【特許文献１】特許第３４５２６３９号公報
【特許文献２】特開平８−７４１４６号公報
【発明の開示】
【発明が解決しようとする課題】
【０００４】
図７は、レースバーを使用して、インレイ糸を挿入する編成を行う場合に生じる問題を示す。４段のレースバーのうち、レースバー全体が編針の上方にある場合に最上段となるレースバーに装着される給糸管１から編糸１ａが給糸され、２段目のレースバーに装着される給糸管２から編糸２ａが給糸され、３段目のレースバーに装着される給糸管３から編糸３ａが給糸され、編糸２ａをインレイ糸２ｂとして挿入する場合を想定する。歯口５を挟んで、前針床６ａと後針床６ｂとが対向し、各レースバーに装着される給糸管１，２，３は、前針床６ａから歯口５の中央線５ａを越えて進出する編針に編糸１ａ，２ａ，３ａをそれぞれ給糸することができる。インレイ糸２ｂは、間隔をあけた編針７Ａ，７Ｂ間に、二点鎖線で示すような直線状に掛け渡される。編針を作動させるキャリッジが歯口５を走行する際には、給糸管１，２，３は編針の下方に待避する必要がある。したがって、インレイ糸２ｂの編針７Ａ，７Ｂ間への掛け渡しのラッピング動作は、キャリッジが編地の側方で停止している間に、レースバー全体の上方へのスイング動作に続いて行われる。さらに、レースバー全体の下方へのスイング動作に続いて、キャリッジの走行による編針７Ａ，７Ｂでの編成動作が行われる。
【０００５】
図７では、インレイ糸２ｂとなる編糸２ａを供給する給糸管２が装着される２段目のレースバーよりも、給糸管１が装着される最上段のレースバーが上位側となる。このように、上位側のレースバーに装着される給糸管１から編地に延びる編糸１ａが存在する場合には、前述のようなラッピング動作後に行われる下方へのスイング動作で、上位側のレースバーから編地に延びる編糸１ａによって、実線で示すように、インレイ糸２ｂは歯口５から後針床６ｂ側に押し出されて、歯口５からはみ出してしまう。編地のデザイン上、インレイ糸２ｂは編地の表面に直線状に表れることが期待されるので、歯口５からはみ出してしまうと、期待されたインレイ状態とはならず、インレイ編成は不可能となる。このため、インレイ糸を供給するレースバーは、その時点での最上位のレースバーでなければならず、制約を受け、柄表現の範囲が狭くなってしまう。
【０００６】
本発明の目的は、最上段ではないレースバーからインレイ糸を挿入しても、インレイ糸が歯口外に押し出される問題が発生しないで、柄表現の範囲を広げることができる編地の編成方法、およびデザイン装置を提供することである。
【課題を解決するための手段】
【０００７】
本発明は、一対の針床が歯口で対向し、一方の針床側のみには、経糸となり得る編糸を挿入可能なレースバーを複数段有する横編機で編地を編成する方法において、
最上段ではないレースバーから、編地には編込まれないで浮くインレイ区間となる部分を有するインレイ糸を挿入する場合に、レースバーのラッピング動作およびスイング動作に先行して、インレイ糸の挿入区間の中間で編針を歯口に進出させておき、
該インレイ区間では、該インレイ糸の挿入に先行して、編目を一方の針床側から他方の針床側に目移ししておき、該インレイ糸の挿入後に、目移しした編目を他方側から一方側に戻す、
ことを特徴とする編地の編成方法である。
【０００８】
また本発明で、前記歯口に進出させる前記インレイ糸の挿入区間の中間の編針は、前記インレイ区間で前記目移しを行った編針のうちから選択され、
該選択された編針に対して、前記インレイ糸をタックしながら、前記挿入を行い、挿入後にインレイ糸のタックを目外しすることを特徴とする。
【０００９】
また本発明で、前記歯口に進出させる前記インレイ糸の挿入区間の中間の編針は、前記インレイ区間外の編針のうちから選択され、
該選択された編針に対して、前記インレイ糸をタックしながら、前記挿入を行うことを特徴とする。
【００１０】
さらに本発明は、一対の針床が歯口で対向し、一方の針床側のみには、経糸となり得る編糸を挿入可能なレースバーを複数段有する横編機で、コース方向に複数の領域が連なり、各領域が隣接する領域とは異なる編糸で編成される編地を、少なくとも一つの領域では編地の表面から浮いて直線状のインレイ区間となる部分を有するインレイ糸挿入しながら編成するための編成データを生成するデザイン装置であって、
最上段ではないレースバーから、編地には編込まれないで浮くインレイ区間となる部分を有するインレイ糸を挿入する場合に、レースバーのラッピング動作およびスイング動作に先行して、インレイ糸の挿入区間の中間で編針を歯口に進出させておき、
該インレイ区間では、該インレイ糸の挿入に先行して、編目を一方の針床側から他方の針床側に目移ししておき、該インレイ糸の挿入後に、目移しした編目を他方側から一方側に戻す、
ための編成データを、横編機に実行させるように生成することを特徴とするデザイン装置である。
【発明の効果】
【００１１】
本発明によれば、最上段ではないレースバーから、編地には編込まれないで浮くインレイ区間となる部分を有するインレイ糸を挿入する場合に、レースバーのラッピング動作およびスイング動作に先行して、インレイ糸の挿入区間の中間で編針を歯口に進出させておく。インレイ糸をラッピングで挿入した後、上位側のレースバーから編地に延びる編糸が存在しても、挿入区間の中間の編針によっても支持されるので、インレイ糸が歯口外に押し出されて期待されるインレイ状態が得られなくなるのを防ぐことができる。インレイ糸の挿入に使用するレースバーに制約が無くなるので、柄表現の範囲を広げることができる。
【００１２】
また本発明によれば、インレイ糸の挿入区間の中間で、目移しで保持する編目を空にした編針にタックしてスイング動作時のインレイ糸の支持を行うことができる。タックした編目を目外しするので、インレイ糸を編地から浮く期待されたインレイ状態として、インレイ糸を支持した編針には元の編目を戻すことができる。
【００１３】
また本発明によれば、歯口に進出させてスイング動作時にインレイ糸を支持するインレイ糸の挿入区間の中間の編針として、インレイ区間外の編針を選択する。選択された編針に対して、インレイ糸をタックする区間は、インレイ糸を編地の表面から浮かすインレイ区間ではないので、タックした編目を目外しする必要がないようにすることができる。
【００１４】
さらに本発明によれば、最上段ではないレースバーから、編地には編込まれないで浮くインレイ区間となる部分を有するインレイ糸を挿入しても、挿入区間の中間の編針によって支持するような編成データを生成して、インレイ糸が歯口外に押し出されて期待されるインレイ状態が得られなくなるのを防ぐことができる。インレイ糸の挿入に使用するレースバーに制約が無くなるので、柄表現の範囲を広げることができる。
【発明を実施するための最良の形態】
【００１５】
図１は、本発明の実施の一形態としての編地の編成についての基本的な考え方を示す。図１では、図７と同様な場合に、編針７Ａ，７Ｂ間の挿入区間の中間の編針７Ｃ，７Ｄ，７Ｅを歯口５に進出させておく。なお、図１で図７に対応する部分には同一の参照符を付し、重複する説明を省略する。インレイ糸２ｂを中間の編針７Ｃ，７Ｄ，７Ｅで支持するので、給糸管２を装着するレースバーによるラッピング動作の後、給糸管１，２，３をそれぞれ装着するレースバー全体を下方に揺動するスイング動作を行っても、インレイ糸２ｂは歯口５の外へ押し出されず、インレイ編成が可能となる。
【００１６】
図２は、図１のような編針７Ｃ，７Ｄ，７Ｅによるインレイ糸２ｂの支持で編成可能となる編地１０の一例を示す。編地１０は、図１で給糸管１から給糸される編糸１ａで編成される縞柄１ｂと、給糸管３から給糸される編糸３ａで編成される縞柄３ｂとがコース方向に交互に切換えられる縦縞を形成している。たとえばＸで示す区間のように、インレイ糸２ｂは、縞柄３ｂの範囲のみで編地１０の表面に表れる。縞柄１ｂを編成する図１に示す編糸１ａは、インレイ糸２ｂとなる編糸２ａを給糸する給糸管２が装着されるレースバーよりも上位側のレースバーに装着される給糸管１から給糸されるので、図７のような編成では、インレイ糸２ｂを歯口５から押し出して、期待される直線的なインレイ状態での編成が不可能である。本実施の形態では、編地１０の表面で直線状に延びるインレイ糸２ｂを確実に挿入することが可能となる。
【００１７】
図３は、図２に示すような編地１０のうちでインレイ糸２ｂが表面に表れているＸで示す区間の部分を編成する概略的な手順の一例を示す。コースＣ１〜Ｃ８は、相対的な編成コースの順番を示すけれども、コースＣ３〜Ｃ８はリピートして複数回繰返される。
【００１８】
コースＣ１とコースＣ２とで、図２の縞柄１ｂ，３ｂに相当する下地となる編地が編成される。なお、各縞柄の編目の数は、簡略化のためにそれぞれ３で示しているけれども、他の数でもよいことはもちろんである。実際に編地１０を編成する場合、より多くの編目の数が使用されると考えられる。また、キャリッジには複数組のカムシステムが搭載され、編成動作とともに、目移し動作も同一のコースで可能であるものとする。コースＣ２では、先行側のカムシステムで縞柄１ｂ，３ｂの編成を行い、後行側のカムシステムで縞柄３ｂの前針床６ａから後針床６ｂへの目移しを行う。
【００１９】
コースＣ３では、先行側のカムシステムで、インレイ糸２ｂを挿入する挿入区間の両端の編針へのニットによる編目形成と、編地１０から浮かすインレイ区間の編針に掛けるタックの動作とを行う。両端での編目形成は、タックによることもできる。インレイ区間のタックは、カムシステムで通常のタックやニットがステッチカムで編針を針床に引込んで編目を形成するのに対し、編針の引込量が小さくなるような度違い編成が可能であれば、タック度違いとすることが好ましい。後行側のカムシステムでは、タックで編針に掛けた編目を、すぐに目外しする。タック度違いで浅い引込みを選択しておけば、目外しで払ったインレイ糸２ｂがたるみにくくなるようにすることができる。
【００２０】
コースＣ４では、コースＣ２の後行側のカムシステムで後針床６ｂへ目移しした編目を、前針床６ａに戻す。このような目移しによって、縞柄３ｂの部分では、インレイ糸２ｂが編地１０の表面に浮くようにすることができる。
【００２１】
コースＣ５では、先行側のカムシステムで縞柄１ｂ，３ｂを編成し、後行側のカムシステムで前針床６ａから後針床６ｂへの目移しを行う。
【００２２】
コースＣ６では、コースＣ３とは逆方向にキャリッジを走行させ、先行側のカムシステムで、インレイ糸２ｂを挿入する挿入区間の両端の編針へのニットまたはタックによる編目形成と、編地１０から浮かすインレイ区間でのタック度違い編成動作とを行う。後行側のカムシステムでは、タック度違いとして編針に掛けた編目を、すぐに目外しする。
【００２３】
コースＣ７では、コースＣ５の後行側のカムシステムで後針床６ｂへ目移しした編目を、前針床６ａに戻す。
【００２４】
コースＣ８では、コースＣ５とは逆方向にキャリッジを走行させ、先行側のカムシステムで縞柄１ｂ，３ｂを編成し、後行側のカムシステムで前針床６ａから後針床６ｂへの目移しを行う。
【００２５】
以下、コースＣ３からコースＣ８を、図２のＸの区間として必要なコース数となるまで繰返す。なお、インレイ糸２ｂは、縞柄３ｂの全区間で編地１０の表面から浮いているけれども、コースＣ２、Ｃ４、Ｃ５、Ｃ７およびＣ８で目移しする編目の範囲を変えて、たとえば縞柄３ｂのうちの一部だけで編地１０の表面から浮くようにすることもできる。また、インレイ糸２ｂの長さが長い場合は支持する編針の本数を多くし、短ければ本数を少なくすればよいことはもちろんである。
【００２６】
図４は、図２に示すような編地１０のうちでインレイ糸２ｂが表面に表れているＸで示す区間の部分を編成する概略的な手順の他の例を示す。図４で、図３に対応するコースは同一の順番で示す。ただし、コースＣ３でのタックは、縞柄１ｂを保持する編針に対して行う。縞柄１ｂは、インレイ糸２ｂを給糸する給糸管２が装着されるレースバーよりも上位側のレースバーに装着される給糸管１から給糸される編糸１ｂで編成されるので、インレイ糸２ｂをタックしても、編地１０の表面には出ないようにすることができる。また、かっこを付して示すように、タックする編針が保持する縞柄１ｂの編目を先に目移しして編針を空けておき、タック後に編目を目移しで戻すようにすれば、タックした編目を編地１０の表面に出すこともできる。図３のコースＣ３およびＣ６で行っている目外しは不要となる。インレイ糸２ｂを編地１０の表面から浮かすようにするための目移しは、図３では目外しを行っているコースＣ３およびコースＣ６の後行側のシステムで行うことができる。図示を省略しているコースＣ４およびコースＣ７は、それぞれキャリッジを左行および右行させる空コースとなる。
【００２７】
図５は、本実施の形態で、柄表現の範囲を広げる他の例を示す。編地２０では、インレイ糸として、最上位のレースバーに装着される給糸管１から給糸される編糸１ａを使用してインレイ模様２１を編成する場合を想定する。一つのレースバーには、複数の給糸管を装着することができるので、α色、β色、γ色など、インレイの色を変えることができる。また、インレイの下地も給糸管１から給糸される編糸１ａで編成することもできる。給糸管１が装着されるレースバーよりも上位側にレースバーは存在しないので、インレイ糸が歯口５から押し出されて期待されるインレイ状態が得られなくなる問題も生じない。
【００２８】
しかしながら、下位側のレースバーに装着される給糸管２〜３から給糸される編糸２ａ〜３ａで編成するＹで示すような区間が存在すると、給糸管１から給糸される編糸１ａは、この区間で編成を休止し、この区間終了後に編成を再開することになる。編成を休止していた区間の表面には、編糸１ａが渡ってしまい、編地２０の編成後の仕上げ段階で、切断して裏側に引張り出すような手作業が必要となる。また、Ｙで示す区間の間隔が狭い場合は、裏側へ回しての糸くくりが不可能になってしまう。下位側のレースバーに装着される給糸管からインレイ糸を給糸すれば、このような問題は生じにくくすることができる。なお、レースバーが４段の場合、４段目のレースバーに装着される給糸管から給糸される編糸も、他の上位側のレースバーに装着される給糸管２〜３から給糸される編糸２ａ〜３ａと同様に、編針による支持でインレイ糸として使用することができる。
【００２９】
図６は、以上で説明しているような編針による支持を伴って、インレイ糸２ｂを横編機で挿入するための編成データを生成するデザイン装置３０の概略的な構成と、デザイン装置３０を使用しての編成データの概略的な作成手順とを示す。
【００３０】
図６（ａ）に示すように、デザイン装置３０は、汎用のコンピュータ３１に、編地のデザインを行うソフトウエアをインストールして実現される。コンピュータ３１には、キーボード、デジタイザ、マウスなどの入力装置３２、グラフィックディスプレイなどの表示装置３３、ＬＡＮなどを介しての外部との通信が可能な通信装置３４、各種記録媒体を着脱可能な外部記録装置３５などが接続される。ソフトウエアのインストールは、通信装置３４を介するダウンロードによって行ったり、外部記録装置３５にＣＤ−ＲＯＭやＤＶＤ−ＲＯＭなどの記録媒体を装着して行うことができる。このソフトウエアには、図６（ｂ）に示す手順でインレイ糸２ｂを挿入する編成データを生成するプログラムも含むようにする。
【００３１】
図６（ｂ）に示すように、編成データを生成するプログラムが開始されると、ステップｓ１として、操作者が入力装置３２にデザインデータを入力し、表示装置３３に表示されるデザイン結果を見ながら、編地１０、２０のデザインを行い、インレイ糸２ｂなどを含む柄データを入力する。次にステップｓ２では、インレイ糸２ｂの挿入の有無を判断する。インレイ糸２ｂの挿入が有る場合は、ステップｓ３で、操作者が挿入仕様を設定する。挿入仕様には、図３または図４などの選択や、支持に使用する編針の選択などが含まれる。
【００３２】
ステップｓ３での挿入仕様の設定後、またはステップｓ２でインレイ糸挿入が無い場合は、ステップｓ４で、実際に横編機を作動させる編成データを生成する。生成される編成データは、柄データを編成するための編成データにインレイ糸２ｂの挿入に関する編成データが追加されており、通信装置３４を介して横編機に伝送されたり、外部記録装置３５からディスクやＵＳＢメモリなどの記録媒体に記録されてから横編機に入力されて、編地１０，２０の編成が行われる。
【図面の簡単な説明】
【００３３】
【図１】本発明の実施の一形態としての編地の編成についての基本的な考え方を示す簡略化した平面図である。
【図２】図１のような編針７Ｃ，７Ｄ，７Ｅによるインレイ糸２ｂの支持で編成可能となる編地１０の一例を示す図である。
【図３】図２に示すような編地１０のうちでインレイ糸２ｂが表面に表れているＸで示す区間の部分を編成する概略的な手順の一例を示す編成図である。
【図４】図２に示すような編地１０のうちでインレイ糸２ｂが表面に表れているＸで示す区間の部分を編成する概略的な手順の他の例を示す編成図である。
【図５】図１を適用して、柄表現の範囲を広げる他の例としての編地２０を示す図である。
【図６】図１に示すような編針による支持を伴って、インレイ糸２ｂを横編機で挿入するための編成データを生成するデザイン装置３０の概略的な構成を示すブロック図、およびデザイン装置３０を使用しての編成データの概略的な作成手順を示すフローチャートである。
【図７】レースバーを使用して、インレイ糸を挿入する編成を行う場合に生じる問題を示す図である。
【符号の説明】
【００３４】
１，２，３  給糸管
１ａ，２ａ，３ａ  編糸
１ｂ，３ｂ  縞柄
２ｂ  インレイ糸
５  歯口
６ａ  前針床
６ｂ  後針床
７Ａ，７Ｂ，７Ｃ，７Ｄ，７Ｅ  編針
１０，２０  編地
３０  デザイン装置
【図１】
2007277738.tif 000003
【図２】
2007277738.tif 000004
【図３】
2007277738.tif 000005
【図４】
2007277738.tif 000006
【図５】
2007277738.tif 000007
【図６】
2007277738.tif 000008
【図７】
2007277738.tif 000009